(57)【要約】【課題】  送信側の通信装置から文書等の画情報が受信側の通信装置のどの場所に蓄積されたかを容易に確認することができるようにする。【解決手段】  網制御部１７が通信回線を介して外部装置から画情報をファクシミリ受信し、ＮＶＲＡＭ部１９にそのファクシミリ受信した画情報を蓄積すると共に、制御部１０がＮＶＲＡＭ部１９における上記画情報の蓄積先のフォルダのＵＲＬとフォルダ名を上記ファクシミリ受信の通信を終了するまでに上記外部装置へ送信する。また、インタネット通信制御部１８が外部装置からＮＶＲＡＭ部１９における画情報の蓄積先のフォルダのＵＲＬとフォルダ名に基づくアクセス要求を受信した場合に、制御部１０がその外部装置にアクセスさせる。【選択図】        図１
2013201625.tif 000002
【特許請求の範囲】
【請求項１】
通信回線を介して外部装置から画情報をファクシミリ受信する受信手段と、
該受信手段によってファクシミリ受信した前記画情報を蓄積する蓄積手段と、
該蓄積手段における前記画情報の蓄積先の場所情報と該蓄積先の識別情報とを前記ファクシミリ受信の通信を終了するまでに前記外部装置へ送信する送信手段と、
通信回線を介して外部装置から前記蓄積手段における画情報の蓄積先の場所情報と該蓄積先の識別情報に基づくアクセス要求を受信した場合に、該外部装置に対して前記蓄積手段における該場所情報と該識別情報に対応する画情報にアクセスさせるアクセス制御手段とを備えたことを特徴とする通信装置。
【請求項２】
請求項１に記載の通信装置において、
送信拒否設定を受け付ける送信拒否受付手段を有し、
前記送信手段は、前記送信拒否受付手段が送信拒否の設定を受け付けた場合に、画情報の蓄積先の場所情報と該蓄積先の識別情報の送信を行わないようにする手段を有することを特徴とする通信装置。
【請求項３】
請求項１又は２に記載の通信装置において、
パスワードを要する設定を受け付けるパスワード要受付手段を有し、
前記送信手段は、前記パスワード要受付手段がパスワードを要する設定を受け付けた場合に、前記外部装置から予め決められたパスワードを受信した場合にのみ、画情報の蓄積先の場所情報と該蓄積先の識別情報の送信を行うようにする手段を有することを特徴とする通信装置。
【請求項４】
請求項１から３のいずれか一項に記載の通信装置において、
識別情報のみの送信の設定を受け付ける識別情報送信受付手段を有し、
前記送信手段は、前記識別情報送信受付手段が識別情報のみの送信の設定を受け付けた場合に、画情報の蓄積先の識別情報のみの送信を行うようにする手段を有することを特徴とする通信装置。
【請求項５】
請求項１から４のいずれか一項に記載の通信装置において、
前記蓄積手段の蓄積先毎に該蓄積先の場所情報と該蓄積先の識別情報を送信可能な蓄積先と送信不可能な蓄積先とに分けて設定する設定手段を有し、
前記送信手段は、前記設定手段によって送信可能な蓄積先に設定された蓄積先に蓄積する画情報のファクシミリ送信元の外部装置へは画情報の蓄積先の場所情報と該蓄積先の識別情報の送信を行うようにし、送信不可能な蓄積先に設定された蓄積先に蓄積する画情報のファクシミリ送信元の外部装置へは画情報の蓄積先の場所情報と該蓄積先の識別情報の送信を行わないようにする手段を有することを特徴とする通信装置。
【請求項６】
請求項１から５のいずれか一項に記載の通信装置において、
指定された送信元に対する送信拒否の設定を受け付ける指定送信元拒否受付手段と、
前記送信手段は、前記指定送信元拒否受付手段が指定された送信元に対する送信拒否の設定を受け付けた場合に、該指定された送信元の外部装置からのファクシミリ受信では、画情報の蓄積先の場所情報と該蓄積先の識別情報の送信を行わないようにする手段を有することを特徴とする通信装置。
【請求項７】
請求項１から６のいずれか一項に記載の通信装置において、
蓄積拒否の設定を受け付ける蓄積拒否受付手段と、
前記送信手段は、前記蓄積拒否受付手段が蓄積拒否の設定を受け付けた場合に、画情報の蓄積をしない旨の情報を送信すると共に、画情報の蓄積先の場所情報と該蓄積先の識別情報の送信を行わないようにする手段を有することを特徴とする通信装置。
【発明の詳細な説明】
【技術分野】
【０００１】
この発明は、通信回線を介したファクシミリ通信と、蓄積した画情報に通信回線を介して外部装置からアクセスさせることが可能な通信装置に関する。
【背景技術】
【０００２】
従来、ファクシミリ装置、ファクシミリ通信機能を備えた複写機や複合機等の通信装置では、送信側の通信装置とのファクシミリ通信プロトコルの中で得た送信側の通信装置の情報に基いて蓄積先を決定し、その蓄積先にファクシミリ受信した文書等の画情報（「画像データ」ともいう）を蓄積する技術が知られている。
例えば、受信側の通信装置が持つ記憶装置の中がフォルダによって階層化されている場合に、ファクシミリ受信した際に送信側の通信装置毎に割り当てられているフォルダにそれぞれ振り分けて蓄積する。
また、ネットワークを介して他の通信装置との間で通信可能であり、文書ファイルを蓄積して、その蓄積している文書ファイルを上記他の通信装置が取得するためのＵＲＩを通知する電子メールを作成し、その電子メールを上記他の通信装置へ送信する通信装置（例えば、特許文献１参照）があった。
【発明の概要】
【発明が解決しようとする課題】
【０００３】
しかしながら、上述した従来の通信装置では、送信側の通信装置のユーザが受信側の通信装置のどの場所にファクシミリ送信した文書等の画情報が蓄積されたのかを容易に確認することができないという問題があった。
この発明は上記の点に鑑みてなされたものであり、送信側の通信装置から文書等の画情報が受信側の通信装置のどの場所に蓄積されたかを容易に確認できるようにすることを目的とする。
【課題を解決するための手段】
【０００４】
この発明は上記の目的を達成するため、通信回線を介して外部装置から画情報をファクシミリ受信する受信手段と、その受信手段によってファクシミリ受信した上記画情報を蓄積する蓄積手段と、その蓄積手段における上記画情報の蓄積先の場所情報とその蓄積先の識別情報とを上記ファクシミリ受信の通信を終了するまでに上記外部装置へ送信する送信手段と、通信回線を介して外部装置から上記蓄積手段における画情報の蓄積先の場所情報とその蓄積先の識別情報に基づくアクセス要求を受信した場合に、その外部装置に対して上記蓄積手段におけるその場所情報とその識別情報に対応する画情報にアクセスさせるアクセス制御手段を備えた通信装置を提供する。
【発明の効果】
【０００５】
この発明による通信装置は、送信側の通信装置から文書等の画情報が受信側の通信装置のどの場所に蓄積されたかを容易に確認することができる。
【図面の簡単な説明】
【０００６】
【図１】図２に示す通信装置１、２の機能構成例を示すブロック図である。
【図２】この発明の一実施形態である通信装置を用いた通信システムの構成例を示す図である。
【図３】図２に示す通信装置１、２間のファクシミリ通信の手順を示すシーケンス図である。
【図４】図２に示す通信装置２のファクシミリ受信処理を示すフローチャート図である。
【図５】図２に示す通信装置２のアクセス要求に対応する処理を示すフローチャート図である。
【図６】図２に示す通信装置１と通信装置２との間のファクシミリ通信時のデータの流れについて示す説明図である。
【図７】図２に示す通信装置２におけるフォルダ情報通知拒否設定処理を示すフローチャート図である。
【図８】図２に示す通信装置２のフォルダ情報の通知を行わない場合のファクシミリ受信処理を示すフローチャート図である。
【図９】図２に示す通信装置２におけるパスワード要フォルダ情報通知設定処理を示すフローチャート図である。
【０００７】
【図１０】図２に示す通信装置２のフォルダ情報の通知のためにパスワードを要する場合のファクシミリ受信処理を示すフローチャート図である。
【図１１】図２に示す通信装置２におけるフォルダ名のみ通知設定処理を示すフローチャート図である。
【図１２】図２に示す通信装置２のフォルダ名のみの送信を行うファクシミリ受信処理を示すフローチャート図である。
【図１３】図２に示す通信装置２におけるフォルダ情報通知可能フォルダ設定処理を示すフローチャート図である。
【図１４】図２に示す通信装置２がフォルダへの設定に基いてフォルダ情報を送信するか否かを分けて行う場合のファクシミリ受信処理を示すフローチャート図である。
【図１５】図２に示す通信装置２における特定の送信者のみフォルダ情報通知設定処理を示すフローチャート図である。
【図１６】図２に示す通信装置２の特定の送信者のみフォルダ情報を送信する場合のファクシミリ受信処理を示すフローチャート図である。
【図１７】図２に示す通信装置２における画情報を蓄積しない旨の通知設定処理を示すフローチャート図である。
【図１８】図２に示す通信装置２の画情報を蓄積しない旨の通知の送信を行うファクシミリ受信処理を示すフローチャート図である。
【発明を実施するための形態】
【０００８】
以下、この発明を実施するための形態を図面に基づいて具体的に説明する。
図２は、この発明の一実施形態である通信装置を用いた通信システムの構成例を示す図である。
この通信システムは、２台の通信装置１、２が通信回線３を介して通信可能に接続されている。
上記通信装置１、２は、通信回線３を介してファクシミリ通信とインターネットによるデータ通信が可能なファクシミリ装置、同じくファクシミリ通信とインターネットによるデータ通信の機能を備えた複写機や複合機等の画像形成装置である。
【０００９】
上記通信回線３は、通信装置１、２との間で互いにファクシミリ通信とインターネットによるデータ通信を可能にする通信網であり、例えば、公衆回線網などである。
なお、図２では、説明を簡単にするため、２台の通信装置１、２のみを図示し、通信回線３の図示を省略した他の通信装置、情報処理装置及びサーバ装置などについての説明を省略する。
また、この実施形態の通信システムでは、通信装置１をファクシミリ送信側とし、通信装置２をファクシミリ受信側として説明を進めるが、通信装置２をファクシミリ送信側とし、通信装置１をファクシミリ受信側としても同様に実施することができる。
【００１０】
次に、図１によって図２に示した通信装置１、２の機能構成例を説明する。
図１は、図２に示した通信装置１、２の機能構成例を示すブロック図である。
図２に示した通信装置１、２は、いずれもＣＰＵ、ＲＯＭ及びＲＡＭを含むマイクロコンピュータによって実現され、図１に示すように、制御部１０、ＲＡＭ部１１、時計部１２、スキャナ部１３、プロッタ部１４、操作表示部１５、符号化復号化部１６、網制御部１７、インタネット通信制御部１８、及びＮＶＲＡＭ部１９の各部を有し、その各部がそれぞれ通信線２０に接続されている。
【００１１】
制御部１０は、１１〜１９の各部の制御処理と、ファクシミリ通信とインターネット通信の各制御処理と、発明に係る制御処理をする。
ＲＡＭ部１１は、制御部１０が実行するプログラムと、その実行に必要な各種データなどを記憶すると共に、制御部１０のワークエリアを提供する記憶部である。
時計部１２は、制御部１０に対して現在時刻情報を出力する。
スキャナ部１３は、制御部１０からの指示に基づいて原稿の画情報を光学的に読み取る画像読取装置である。
【００１２】
プロッタ部１４は、制御部１０からの指示に基づいて画情報に基づく画像を記録媒体（例えば、用紙）に印刷する印刷装置である。
操作表示部１５は、制御部１０による制御により、通信装置１、２のユーザが通信装置１、２に各種の操作情報を入力する操作装置の機能と、ユーザに対して各種の情報を表示する表示装置の機能を果たす。
符号化復号化部１６は、制御部１０からの指示に基づいて、ファクシミリ送信する画情報を符号化圧縮すると共に、ファクシミリ受信した符号化圧縮されている画情報を元の画情報に復号化する。
【００１３】
網制御部１７は、通信回線３のアナログ公衆回線網ＰＳＴＮに接続し、制御部１０からの指示に基づいてファクシミリ通信（ファクシミリ送受信）のプロトコルの制御をする。
インタネット通信制御部１８は、通信回線３のインターネット通信網に接続し、制御部１０からの指示に基づいてデータ通信（データ送受信）のプロトコルの制御をする。
ＮＶＲＡＭ部１９は、制御部１０からの指示に基づいてファクシミリ受信した画情報を記憶して蓄積する記憶装置である。
【００１４】
すなわち、上記制御部１０と網制御部１７が受信手段の機能を果たす。
また、上記ＮＶＲＡＭ部１９が蓄積手段の機能を果たす。
さらに、上記制御部１０と網制御部１７は送信手段の機能も果たす。
また、上記制御部１０とインタネット通信制御部１８がアクセス制御手段の機能を果たす。
さらに、上記制御部１０と操作表示部１５は、送信拒否受付手段、パスワード要受付手段、識別情報送信受付手段、設定手段、指定送信元拒否受付手段、及び蓄積拒否受付手段の各機能を果たす。
【００１５】
次に、図３によって、この通信システムにおける通信装置１、２間のファクシミリ通信の手順を説明する。
図３は、図２に示した通信装置１、２間のファクシミリ通信の手順を示すシーケンス図である。
ユーザ４が通信装置１を使って通信装置２へファクシミリ送信する場合に、ユーザ４は、ステップ（図中「Ｓ」で示す）１で、通信装置１に送信開始指示を入力する。この入力の際には、ファクシミリ送信する画情報の指定と通信装置２のファクシミリ番号（ＦＡＸ番号）も入力される。これらの入力操作は、通信装置１における図１の操作表示部１５によって行われる。
【００１６】
通信装置１は、送信開始指示の入力を検出すると、通信装置２の上記ＦＡＸ番号に基いて、ステップ２で通信装置２へ発呼通知（ダイアリング）を送信する。この発呼通知には、通信装置１のＦＡＸ番号、発信元名称（通信装置１の名称）等の情報も含まれる。
この送信処理は、通信装置１における図１の制御部１０と網制御部１７によって行われる。
【００１７】
一方、通信装置２は、通信装置１からの発呼通知を受信すると、ステップ３で通信装置１へ着呼通知（ＣＥＤ）を送信する。
上記ＣＥＤは、ファクシミリ通信における公知の被呼端末識別信号である。
この受送信処理は、通信装置２における図１の制御部１０と網制御部１７によって行われる。
このようにして、通信装置１と２との間で発呼通知と着呼通知のやり取りを行うと、ファクシミリ通信のための通信が締結される。
【００１８】
さらに、通信装置２は、ステップ４で通信装置１へ受信機能力通知（ＤＩＳ＋ＮＳＦ）を送信する。
この受信機能力通知には、ファクシミリ通信におけるＤＩＳとＮＳＦの各信号を含んでいる。
上記ＤＩＳは、Ｄｉｇｉｔａｌ  Ｉｄｅｎｔｉｆｉｃａｔｉｏｎ  Ｓｉｇｎａｌの略称であり、ファクシミリ通信におけるデジタル識別信号である。
また、上記ＮＳＦは、Ｎｏｎ−Ｓｔａｎｄａｒｄ  Ｆａｃｉｌｉｔｉｅｓの略称であり、ファクシミリ通信における非標準機能識別信号である。
このＤＩＳとＮＳＦにより、通信装置２が備えている機能を示す情報（公知なので説明を省略する）と共に、フォルダ情報通知可能通知を通知する。
【００１９】
上記フォルダ情報通知可能通知は、通信装置１からファクシミリ受信した画情報を蓄積した後に、通信装置１からその画情報にアクセス可能にするための情報であるフォルダ情報を通知可能であることを通信装置１に知らせる通知である。
上記フォルダ情報には、通信装置２の図１に示したＮＶＲＡＭ部１９の画情報の蓄積先であるフォルダのＵＲＬ（場所情報に相当する）とそのフォルダのフォルダ名（識別情報に相当する）とを含んでいる。
上記ＵＲＬは、インターネット上に存在する情報、この実施形態の場合は、通信装置２のＮＶＲＡＭ部１９に蓄積された画情報の蓄積先であるフォルダの場所情報である。
このフォルダ情報を、例えば、上記ＮＳＦに含ませると良い。
この送信処理も、通信装置２における図１の制御部１０と網制御部１７によって行われる。
【００２０】
通信装置１は、通信装置２から受信機能力通知を受信すると、ステップ５で通信装置２へ送信モード通知（ＮＳＳ）を送信する。
この送信モード通知には、ファクシミリ通信におけるＮＳＳの信号を含んでいる。
上記ＮＳＳは、Ｎｏｎ−Ｓｔａｎｄａｒｄ  ｆａｃｉｌｉｔｉｅｓ  Ｓｅｔ−ｕｐの略称であり、ファクシミリ通信における非標準機能設定信号である。
通信装置１では、通信装置２から受信した受信機能力通知にフォルダ情報通知可能通知が含まれていることを検出すると、送信モード通知に、通信装置１がフォルダ情報を受信可能であることを通信装置２に知らせるためのフォルダ情報受信可能通知を含める。
このフォルダ情報受信可能通知は、ＮＳＳに含めると良い。
【００２１】
次に、通信装置２は、通信装置１から送信モード通知を受信すると、ステップ６で通信装置１から受信した発呼通知のＦＡＸ番号、発信元名称等の情報に基づいて画情報の蓄積先のフォルダを決定する。
この蓄積先の決定処理については、例えば、通信装置２の図１に示したＮＶＲＡＭ部１９に、ＦＡＸ番号毎、又は発信元名称毎に階層化したフォルダを作成しておき、ファクシミリ受信したときにその送信元の通信装置のＦＡＸ番号、又は発信元名称に基いて画情報のフォルダを決定する。
この蓄積先のフォルダの決定処理は、通信装置２における図１の制御部１０によって行われる。
【００２２】
さらに、通信装置２は、ステップ７で通信装置１から受信した送信モード通知中にフォルダ情報受信可能通知が有るか否かを判断する。
この判断により、送信モード通知中にフォルダ情報受信可能通知が有ると判断した場合には、通信装置１に送信する受信機能力通知に通信装置２から受信して蓄積する画情報についてのフォルダ情報を含めるものと決定し、ないと判断した場合には、通信装置１に送信する受信機能力通知にそのフォルダ情報を含めないものと決定する。
この判断と決定の処理は、通信装置２における図１の制御部１０によって行われる。
【００２３】
さらに、通信装置２は、ステップ８で通信装置１へ受信機能力通知（ＤＩＳ＋ＮＳＦ）を送信する。
この受信機能力通知は、上述の判断でフォルダ情報を含めるものと決定された場合にはフォルダ情報を含めて送信し、フォルダ情報を含めないものと決定された場合にはフォルダ情報を含めないで送信する。
図３では、受信機能力通知にフォルダ情報を含めた場合のシーケンスを説明する。
この送信処理は、通信装置２における図１の制御部１０と網制御部１７によって行われる。
【００２４】
一方、通信装置１は、通信装置２から受信機能力通知を受信すると、ステップ９で通信装置２へ送信モード通知（ＮＳＳ）を送信する。
さらに、通信装置１は、ステップ１０で通信装置２へ画情報を送信する。
これらの送信処理は、通信装置１における図１の制御部１０と網制御部１７によって行われる。
【００２５】
通信装置２は、通信装置１から送信モード通知を受信すると、その送信モードに対応するモードで画情報をファクシミリ受信し、ステップ１１で画情報を蓄積する。
この蓄積処理では、通信装置１のＦＡＸ番号、あるいは発信元名称に対応するＮＶＲＡＭ部１９のフォルダに画情報を蓄積して記憶する。
この蓄積処理は、通信装置２における図１の制御部１０がＮＶＲＡＭ部１９に対して行う。
通信装置１は、画情報の送信を終えると、ステップ１２で通信装置２へページ終了通知（ＥＯＰ）を送信する。
上記ＥＯＰは、Ｅｎｄ  Ｏｆ  Ｐｒｏｃｅｄｕｒｅｓの略称であり、ファクシミリ通信における手順終了信号である。
【００２６】
また、通信装置２は、通信装置１からページ終了通知を受信すると、ステップ１３で正常受信通知（ＭＣＦ）を送信する。
上記ＭＣＦは、Ｍｅｓｓａｇｅ  ＣｏｎＦｉｒｍａｔｉｏｎの略称であり、ファクシミリ通信におけるメッセージ確認信号である。
この処理では、通信装置２が正常に受信した場合の手順を示すが、もし画情報を正常に受信できなかった場合には、その旨を通信装置１へ通知し、通信装置１から再度送信を行うことになるが、説明を簡単にするためにそれらの手順については説明を省略する。
【００２７】
通信装置１は、通信装置２から正常受信通知を受信すると、ステップ１４で通信切断通知（ＤＣＮ）を送信する。
上記ＤＣＮは、ＤｉｓＣｏＮｎｅｃｔの略称であり、ファクシミリ通信における切断命令信号である。
通信装置１は通信装置２へ切断命令信号を送信するとファクシミリ通信を終了する。一方の通信装置２も、通信装置１から通信切断通知を受信するとファクシミリ通信を終了する。
また、通信装置１では、ステップ１５で送信完了を表示する。
この表示によってユーザ４にファクシミリ送信が正常に終了したことを知らせることができる。
この表示処理は、通信装置１における図１の制御部１０が操作表示部１５に対して行う。
【００２８】
次に、ユーザ４は、上記ファクシミリ送信した画情報の蓄積先を確認するため、ステップ２１で通信装置１へ通信装置２に蓄積した画情報へのアクセス要求の指示を入力する。
この入力操作は、通信装置１における図１の操作表示部１５によって行われる。
通信装置１は、アクセス要求指示の入力を検出すると、上記受信したフォルダ情報に基づいて、ステップ２２で通信装置２へアクセス要求（ダイアリング）を送信する。
この送信処理は、通信装置１における図１の制御部１０とインタネット通信制御部１８によって行われる。
【００２９】
一方、通信装置２は、通信装置１からのアクセス要求を受信すると、そのアクセス要求のフォルダ情報に対応する蓄積先のフォルダ内を閲覧操作させるためのフォルダ内閲覧操作画面情報を作成し、ステップ２３で通信装置１へフォルダ内閲覧操作画面情報を送信する。
この送信処理は、通信装置２における図１の制御部１０とインタネット通信制御部１８によって行われる。
通信装置１は、通信装置２からフォルダ内閲覧操作画面情報を受信すると、そのフォルダ内閲覧操作画面情報に基いて、ステップ２４でフォルダ内閲覧操作画面を表示する。
この表示処理は、通信装置１における図１の制御部１０と操作表示部１５によって行われる。
【００３０】
ユーザ４は、このフォルダ内閲覧操作画面によって通信装置２のＮＶＲＡＭ部１９のフォルダに蓄積された画情報を閲覧し、必要ならば各種の操作（印刷指示、画情報の削除などの操作）を行うことができる。この閲覧と操作の処理については公知なので説明を省略する。
こうして、通信装置１と通信装置２とのファクシミリ通信を終了するが、通信装置１はファクシミリ通信内で通信装置２がファクシミリ受信して蓄積した画情報にアクセスするためのフォルダ情報を取得することができ、そのフォルダ情報によって通信装置２に蓄積された画情報に容易にアクセスすることができる。
【００３１】
したがって、ユーザ４は、送信側の通信装置１から文書等の画情報が受信側の通信装置２のどの場所に蓄積されたかを容易に確認することができる。
また、フォルダ情報通知を１ファクシミリ通信内で通知するので、フォルダ情報の通知のためだけの通信を実施する必要がなく、通信コストを低減することができる。
なお、図３のステップ７の判断で、受信機能力通知にフォルダ情報を含めないと決定された場合には、通信装置２は通信装置１へ受信機能力通知にフォルダ情報を含めないで送信し、その後、通信装置１からファクシミリ受信した画情報を蓄積する。
【００３２】
次に、図４によって、この通信システムの通信装置２のファクシミリ受信処理について説明する。
図４は、図２に示した通信装置２のファクシミリ受信処理を示すフローチャート図である。
通信装置２の図１に示した制御部１０は、通信装置１からの発呼通知を受信すると、図４の処理を開始する。
図４のステップ３１で通信装置１へ着呼通知を送信し、ステップ３２で通信装置１へ受信機能力通知を送信する。この処理では、受信機能力通知にはフォルダ情報通知可能通知を含めている。
【００３３】
ステップ３３で通信装置１から送信モード通知を受信する。この処理では、送信モード通知にフォルダ情報受信可能通知が含まれている。
ステップ３４で蓄積先フォルダ決定処理をする。
この蓄積先フォルダ決定処理では、例えば、通信装置２の図１に示したＮＶＲＡＭ部１９に、通信装置１のＦＡＸ番号、又は発信元名称に対応するフォルダが予め作成されており、通信装置１からファクシミリ受信したときにそのＦＡＸ番号、又は発信元名称に基いて画情報のフォルダを決定する。
【００３４】
ステップ３５で送信モード通知中にフォルダ情報受信可能通知があるか否かを判断し、有る場合（Ｙの場合）にはステップ３６へ進み、ない場合（Ｎの場合）にはステップ３８へ進む。
ステップ３６で通信装置１へフォルダ情報を含む受信機能力通知を送信する。このフォルダ情報には、通信装置１のＦＡＸ番号又は発信元名称に対応するＮＶＲＡＭ部１９のフォルダにアクセスするためのＵＲＬとフォルダ名が含まれている。
【００３５】
ステップ３７で通信装置１から送信モード通知を受信し、ステップ３８で通信装置１から画情報を受信して蓄積する。
ステップ３９で通信装置１からページ終了通知を受信し、ステップ４０で通信装置１へ正常受信通知を送信し、ステップ４１で通信装置１から通信切断通知を受信すると、このファクシミリ受信の処理を終了する。
【００３６】
次に、図５によって、この通信システムの通信装置２のアクセス要求に対応する処理について説明する。
図５は、図２に示した通信装置２のアクセス要求に対応する処理を示すフローチャート図である。
通信装置２の図１に示した制御部１０は、通信装置１からのアクセス要求を受信すると、図５の処理を開始する。
図５のステップ５１で通信装置１へフォルダ内閲覧操作画面情報を送信し、ステップ５２で通信装置１からの要求に応じた画情報閲覧操作処理を実行する。この画情報閲覧操作処理では、フォルダ内の画情報の閲覧と、印刷指示や削除指示などの操作との処理を行う。
そして、通信装置１からのアクセスが終了するまで、ステップ５２の処理を繰り返す。
【００３７】
次に、図６によって、通信装置１と通信装置２との間のファクシミリ通信時のデータの流れについて説明する。
図６は、図２に示した通信装置１と通信装置２との間のファクシミリ通信時のデータの流れについて示す説明図である。
図６に示すように、通信装置１から通信回線３を介して通信装置２へ画情報５をファクシミリ送信する際、通信装置２は画情報５の蓄積先に決定したフォルダ、ここでは、ＮＶＲＡＭ部１９の通信装置１の発信元名称に対応する第２販売室フォルダ２１とし、その第２販売室フォルダ２１のフォルダ情報を受信機能力通知６に含めて通信装置１へ送信する。
【００３８】
そして、通信装置１は、ファクシミリ送信の終了後、通信回線３を介したインターネットによって通信装置２へ上記フォルダ情報に基くアクセス要求を送信すると、通信装置２から通信装置１へ第２販売室フォルダ２１にアクセスするためのフォルダ内閲覧操作画面情報７を送信する。
こうして、通信装置１は、フォルダ内閲覧操作画面情報７に基く操作画面によって、通信装置２のＮＶＲＡＭ部１９の第２販売室フォルダ２１に蓄積された画情報５を閲覧及び操作することができる。
【００３９】
この通信システムの通信装置２は、通信回線３を介して通信装置１からファクシミリ受信したときに、そのファクシミリ受信した画情報を蓄積すると共に、その蓄積した画情報を通信装置１からアクセスするための情報をファクシミリ通信内で通信装置１へ送信可能であることが特徴である。
したがって、通信装置１は通信装置２へファクシミリ送信した後に、そのファクシミリ送信の際に通信装置２から受信した情報に基づいて通信回線３を介して通信装置２にファクシミリ受信されて蓄積された画情報にアクセスすることができる。
【００４０】
上述の処理では、通信装置２が通信装置１にフォルダ情報を通知する場合の処理を説明したが、この実施形態の通信装置２では、図１に示した制御部１０の制御処理を切り替えることにより、予めフォルダ情報通知拒否設定を受け付けた場合には、上述したようなフォルダ情報の送信を行わないように制御することができる。
次に、通信装置２におけるフォルダ情報通知拒否の処理について説明する。
図７は、図２に示した通信装置２におけるフォルダ情報通知拒否設定処理を示すフローチャート図である。
【００４１】
通信装置２の図１に示した制御部１０は、操作表示部１５からフォルダ情報通知拒否設定（送信拒否設定に相当する）の入力を受け付けると、ステップ６０でフォルダ情報の通知を拒否する設定をし、この処理を終了する。
このフォルダ情報通知拒否設定により、制御部１０は、ファクシミリ受信の際に、フォルダ情報の送信を行わないようにする制御動作をする。
【００４２】
次に、図８によって、この通信システムの通信装置２のフォルダ情報の通知を行わない場合のファクシミリ受信処理について説明する。
図８は、図２に示した通信装置２のフォルダ情報の通知を行わない場合のファクシミリ受信処理を示すフローチャート図である。
通信装置２の図１に示した制御部１０は、通信装置１からの発呼通知を受信すると、図８の処理を開始する。
図８のステップ６１で通信装置１へ着呼通知を送信し、ステップ６２で通信装置１へ受信機能力通知を送信する。この処理では、受信機能力通知にフォルダ情報通知拒否通知を含めている。このフォルダ情報通知拒否通知により、通信装置１に対してフォルダ情報の通知が行われないことを知らせることができる。
【００４３】
ステップ６３で通信装置１から送信モード通知を受信する。この処理では、送信モード通知にフォルダ情報受信可能通知が含まれていても、通信装置１に対するフォルダ情報の通知は行わない。
ステップ６４で蓄積先フォルダ決定処理をする。
この蓄積先フォルダ決定処理では、例えば、通信装置２の図１に示したＮＶＲＡＭ部１９に、通信装置１のＦＡＸ番号、又は発信元名称に対応するフォルダが予め作成されており、通信装置１からファクシミリ受信したときにそのＦＡＸ番号、又は発信元名称に基いて画情報のフォルダを決定する。
【００４４】
ステップ６５で通信装置１へ受信機能力通知を送信する。この受信機能力通知には、通信装置１のＦＡＸ番号又は発信元名称に対応するＮＶＲＡＭ部１９のフォルダにアクセスするためのＵＲＬとフォルダ名を含むフォルダ情報は含めない。
ステップ６６で通信装置１から送信モード通知を受信し、ステップ６７で通信装置１から画情報を受信して蓄積する。
【００４５】
ステップ６８で通信装置１からページ終了通知を受信し、ステップ６９で通信装置１へ正常受信通知を送信し、ステップ７０で通信装置１から通信切断通知を受信すると、このファクシミリ受信の処理を終了する。
こうして、通信装置２は、フォルダ情報通知拒否設定が有効な間は、いかなる通信でもフォルダ情報の通知を実行しない。
このようにして、蓄積した画情報について送信元の通信装置１からのアクセスを困難にすることができる。
【００４６】
次に、この実施形態の通信装置２では、図１に示した制御部１０の制御処理を切り替えることにより、通信装置１から予め決められたパスワードが送信された場合にのみフォルダ情報を送信するように制御するようにすることもできる。
次に、通信装置２における予め決められたパスワードが送信された場合にのみフォルダ情報を送信するパスワード要フォルダ情報通知設定処理について説明する。
図９は、図２に示した通信装置２におけるパスワード要フォルダ情報通知設定処理を示すフローチャート図である。
【００４７】
通信装置２の図１に示した制御部１０は、操作表示部１５からパスワード要フォルダ情報通知設定（パスワードを要する設定に相当する）の入力を受け付けると、ステップ８０でフォルダ情報の通知にパスワードが必要である旨を通知する設定をし、この処理を終了する。
このパスワード要フォルダ情報通知設定により、制御部１０は、ファクシミリ受信の際に、送信元の通信装置１から予め決められたパスワードを受信した場合にのみフォルダ情報の送信を行うようにする制御動作をする。
【００４８】
次に、図１０によって、この通信システムの通信装置２のフォルダ情報の通知のためにパスワードを要する場合のファクシミリ受信処理について説明する。
図１０は、図２に示した通信装置２のフォルダ情報の通知のためにパスワードを要する場合のファクシミリ受信処理を示すフローチャート図である。
通信装置２の図１に示した制御部１０は、通信装置１からの発呼通知を受信すると、図１０の処理を開始する。
図１０のステップ８１で通信装置１へ着呼通知を送信し、ステップ８２で通信装置１へ受信機能力通知を送信する。この処理では、受信機能力通知にはパスワード要フォルダ情報通知を含めている。
【００４９】
ステップ８３で通信装置１から送信モード通知を受信する。この処理では、送信モード通知にフォルダ情報受信可能通知と予め決められたパスワードが含まれている。
このパスワードは、通信装置２のＮＶＲＡＭ部１９に予め登録されており、通信装置１のユーザ４にも配布されているものである。
ステップ８４で蓄積先フォルダ決定処理をする。
この蓄積先フォルダ決定処理では、例えば、通信装置２の図１に示したＮＶＲＡＭ部１９に、通信装置１のＦＡＸ番号、又は発信元名称に対応するフォルダが予め作成されており、通信装置１からファクシミリ受信したときにそのＦＡＸ番号、又は発信元名称に基いて画情報のフォルダを決定する。
【００５０】
ステップ８５で送信モード通知中にフォルダ情報受信可能通知があるか否かを判断し、有る場合（Ｙの場合）にはステップ８６へ進み、ない場合（Ｎの場合）にはステップ９０へ進む。
ステップ８６で通信装置１から受信した送信モード通知中にパスワードが含まれているか否かを判断し、含まれている場合（Ｙの場合）にはステップ８７へ進み、含まれていない場合（Ｎの場合）にはステップ９４へ進む。
【００５１】
ステップ８７でパスワードが一致するか否かを判断する。この判断では、送信モード通知中に含まれていたパスワードと通信装置２のＮＶＲＡＭ部１９に予め登録されているパスワードとが一致するか否かを判断し、一致する場合（Ｙの場合）はステップ８８へ進み、一致しない場合（Ｎの場合）はステップ９４へ進む。
ステップ８８で通信装置１へフォルダ情報を含む受信機能力通知を送信する。このフォルダ情報には、通信装置１のＦＡＸ番号又は発信元名称に対応するＮＶＲＡＭ部１９のフォルダにアクセスするためのＵＲＬとフォルダ名が含まれている。
【００５２】
ステップ８９で通信装置１から送信モード通知を受信し、ステップ９０で通信装置１から画情報を受信して蓄積する。
ステップ９１で通信装置１からページ終了通知を受信し、ステップ９２で通信装置１へ正常受信通知を送信し、ステップ９３で通信装置１から通信切断通知を受信すると、このファクシミリ受信の処理を終了する。
一方、ステップ９４では、通信装置１へフォルダ情報を通知できない旨を含む受信機能力通知を送信し、ステップ８９へ進む。その後は上述したステップ９０〜９３の処理を実行し、このファクシミリ受信の処理を終了する。
このようにして、パスワードによってフォルダ情報を送信するかしないかを決められるので、通信装置２に蓄積された画情報についてのセキュリティレベルを高く保つことができる。
【００５３】
次に、この実施形態の通信装置２では、図１に示した制御部１０の制御処理を切り替えることにより、フォルダ情報の通知の際にフォルダ名のみを送信するように制御するようにすることもできる。
次に、通信装置２におけるフォルダ名のみを送信するフォルダ名のみ通知設定処理について説明する。
図１１は、図２に示した通信装置２におけるフォルダ名のみ通知設定処理を示すフローチャート図である。
【００５４】
通信装置２の図１に示した制御部１０は、操作表示部１５からフォルダ名のみ通知設定（識別情報のみの送信の設定に相当する）の入力を受け付けると、ステップ１００でフォルダ名のみ通知する設定をし、この処理を終了する。
このフォルダ名のみ通知設定により、制御部１０は、ファクシミリ受信の際に、送信元の通信装置１に画情報の蓄積先のフォルダ名のみの送信を行うようにする制御動作をする。
【００５５】
次に、図１２によって、この通信システムの通信装置２のフォルダ名のみの送信を行うファクシミリ受信処理について説明する。
図１２は、図２に示した通信装置２のフォルダ名のみの送信を行うファクシミリ受信処理を示すフローチャート図である。
通信装置２の図１に示した制御部１０は、通信装置１からの発呼通知を受信すると、図１２の処理を開始する。
図１２のステップ１０１で通信装置１へ着呼通知を送信し、ステップ１０２で通信装置１へ受信機能力通知を送信する。この処理では、受信機能力通知にはフォルダ情報通知可能通知を含めている。
【００５６】
ステップ１０３で通信装置１から送信モード通知を受信する。この処理では、送信モード通知にフォルダ情報受信可能通知が含まれている。
ステップ１０４で蓄積先フォルダ決定処理をする。
この蓄積先フォルダ決定処理では、例えば、通信装置２の図１に示したＮＶＲＡＭ部１９に、通信装置１のＦＡＸ番号、又は発信元名称に対応するフォルダが予め作成されており、通信装置１からファクシミリ受信したときにそのＦＡＸ番号、又は発信元名称に基いて画情報のフォルダを決定する。
【００５７】
ステップ１０５で送信モード通知中にフォルダ情報受信可能通知があるか否かを判断し、有る場合（Ｙの場合）にはステップ１０６へ進み、ない場合（Ｎの場合）にはステップ１０８へ進む。
ステップ１０６で通信装置１へフォルダ名を含む受信機能力通知を送信する。この場合、受信機能力通知には、通信装置１のＦＡＸ番号又は発信元名称に対応するＮＶＲＡＭ部１９のフォルダ名のみが含まれているので、ユーザ４はそのフォルダ名によって画情報が意図した場所に蓄積されているか否かを判断することができる。
また、通信装置１のＦＡＸ番号又は発信元名称に対応するＮＶＲＡＭ部１９のフォルダにアクセスするためのＵＲＬは含まれていないので、通信装置１からのアクセスを制限することができる。
【００５８】
ステップ１０７で通信装置１から送信モード通知を受信し、ステップ１０８で通信装置１から画情報を受信して蓄積する。
ステップ１０９で通信装置１からページ終了通知を受信し、ステップ１１０で通信装置１へ正常受信通知を送信し、ステップ１１１で通信装置１から通信切断通知を受信すると、このファクシミリ受信の処理を終了する。
このようにして、フォルダ名のみ通知を行う設定ができるので、フォルダ内の画情報に対する操作をされたくない場合にも対応することができる。
【００５９】
次に、この実施形態の通信装置２では、図１に示した制御部１０の制御処理を切り替えることにより、通信装置１からファクシミリ受信した画情報を蓄積するフォルダに予めフォルダ情報通知可能の設定がなされている場合にのみフォルダ情報を送信するように制御するようにすることもできる。
次に、通信装置２におけるフォルダ情報を通知しても良い相手先の画情報を蓄積するフォルダと、その通知をしない相手先の画情報を蓄積するフォルダとを分けて設定するフォルダ情報通知可能フォルダ設定処理について説明する。
図１３は、図２に示した通信装置２におけるフォルダ情報通知可能フォルダ設定処理を示すフローチャート図である。
【００６０】
通信装置２の図１に示した制御部１０は、操作表示部１５からＮＶＲＡＭ部１９内の各フォルダについて、フォルダ情報を通知しても良い相手先の画情報を蓄積するフォルダと、その通知をしない相手先の画情報を蓄積するフォルダとをそれぞれ指定する入力を受け付けると、ステップ１２０でフォルダ情報を送信可能なフォルダと送信不可能なフォルダの設定をし、この処理を終了する。この設定内容は、ＮＶＲＡＭ部１９に記憶され、制御部１０がファクシミリ受信時に参照して、その設定内容に基づいてフォルダ情報を送信するか否かを判断する。
【００６１】
このフォルダ情報通知可能フォルダ設定により、制御部１０は、ファクシミリ受信の際に、そのファクシミリ受信した画情報を蓄積するフォルダにフォルダ情報を送信可能なフォルダである設定がなされている場合には、その画情報の送信元の通信装置１へフォルダ情報の送信を行うようにし、フォルダ情報を送信不可能なフォルダである設定がなされている場合には、その画情報の送信元の通信装置１へのフォルダ情報の送信を行わないようにする制御動作をする。
【００６２】
次に、図１４によって、この通信システムの通信装置２がフォルダへの設定に基いてフォルダ情報を送信するか否かを分けて行う場合のファクシミリ受信処理について説明する。
図１４は、図２に示した通信装置２がフォルダへの設定に基いてフォルダ情報を送信するか否かを分けて行う場合のファクシミリ受信処理を示すフローチャート図である。
通信装置２の図１に示した制御部１０は、通信装置１からの発呼通知を受信すると、図１４の処理を開始する。
図１４のステップ１２１で通信装置１へ着呼通知を送信し、ステップ１２２で通信装置１へ受信機能力通知を送信する。この処理では、受信機能力通知にはフォルダ情報通知可能通知を含めている。
【００６３】
ステップ１２３で通信装置１から送信モード通知を受信する。この処理では、送信モード通知にフォルダ情報受信可能通知が含まれている。
ステップ１２４で蓄積先フォルダ決定処理をする。
この蓄積先フォルダ決定処理では、例えば、通信装置２の図１に示したＮＶＲＡＭ部１９に、通信装置１のＦＡＸ番号、又は発信元名称に対応するフォルダが予め作成されており、通信装置１からファクシミリ受信したときにそのＦＡＸ番号、又は発信元名称に基いて画情報のフォルダを決定する。
【００６４】
ステップ１２５で送信モード通知中にフォルダ情報受信可能通知があるか否かを判断し、有る場合（Ｙの場合）にはステップ１２６へ進み、ない場合（Ｎの場合）にはステップ１２９へ進む。
ステップ１２６で画情報を蓄積するフォルダにフォルダ情報通知可能設定があるか否かを判断する。
【００６５】
この判断では、ＮＶＲＡＭ部１９に記憶された設定内容を参照し、ファクシミリ受信する画情報の蓄積先のフォルダにフォルダ情報を送信可能なフォルダであることを示す設定がなされているか否かを判断する。
この判断で、フォルダ情報を送信可能なフォルダであることを示すフォルダ情報通知可能設定ありと判断された場合（Ｙの場合）にはステップ１２７へ進み、フォルダ情報を送信不可能なフォルダであることを示すフォルダ情報通知可能設定なしと判断された場合（Ｎの場合）にはステップ１３３へ進む。
【００６６】
ステップ１２７で通信装置１へフォルダ情報を含む受信機能力通知を送信する。
ここでは、通信装置１からの画情報を蓄積するフォルダにはフォルダ情報通知可能設定がされているから、通信装置１にフォルダ情報を送信する。
このフォルダ情報には、通信装置１のＦＡＸ番号又は発信元名称に対応するＮＶＲＡＭ部１９のフォルダにアクセスするためのＵＲＬとフォルダ名が含まれている。
【００６７】
ステップ１２８で通信装置１から送信モード通知を受信し、ステップ１２９で通信装置１から画情報を受信して蓄積する。
ステップ１３０で通信装置１からページ終了通知を受信し、ステップ１３１で通信装置１へ正常受信通知を送信し、ステップ１３２で通信装置１から通信切断通知を受信すると、このファクシミリ受信の処理を終了する。
一方、ステップ１３３では、通信装置１へフォルダ情報を通知できない旨を含む受信機能力通知を送信し、ステップ１２８へ進む。
【００６８】
このように、ファクシミリ受信した画情報を蓄積するフォルダにフォルダ情報通知不可能設定がされている場合には、その通信装置にはフォルダ情報を送信しないようにすることができる。
その後は、上述したステップ１２８〜１３２の処理を実行し、このファクシミリ受信の処理を終了する。
このようにして、画情報を蓄積するフォルダ毎にフォルダ情報を送信するか否かを設定できるので、フォルダ毎に画情報のセキュリティレベルを異ならせることができる。
【００６９】
次に、この実施形態の通信装置２では、図１に示した制御部１０の制御処理を切り替えることにより、通信装置１が予めフォルダ情報を通知しても良い相手として決められている場合にのみフォルダ情報を送信するように制御するようにすることもできる。
次に、通信装置２における予めフォルダ情報を通知しても良い相手にのみフォルダ情報を送信する、特定の送信者のみフォルダ情報通知設定処理について説明する。
図１５は、図２に示した通信装置２における特定の送信者のみフォルダ情報通知設定処理を示すフローチャート図である。
【００７０】
通信装置２の図１に示した制御部１０は、操作表示部１５から特定の送信者のみフォルダ情報通知設定（指定された送信元に対する送信拒否の設定に相当する）の入力を受け付けると、ステップ１４０で特定の送信者のみフォルダ情報を通知する設定をし、この処理を終了する。
この特定の送信者のみフォルダ情報通知設定により、制御部１０は、ファクシミリ受信の際に、送信元の通信装置１が予め指定された送信元の場合にのみフォルダ情報の送信を行うようにする制御動作をする。
【００７１】
次に、図１６によって、この通信システムの通信装置２の特定の送信者のみフォルダ情報を送信する場合のファクシミリ受信処理について説明する。
図１６は、図２に示した通信装置２の特定の送信者のみフォルダ情報通知を送信する場合のファクシミリ受信処理を示すフローチャート図である。
通信装置２の図１に示した制御部１０は、通信装置１からの発呼通知を受信すると、図１６の処理を開始する。
図１６のステップ１４１で通信装置１へ着呼通知を送信し、ステップ１４２で通信装置１へ受信機能力通知を送信する。この処理では、受信機能力通知にはフォルダ情報通知可能通知を含めている。
【００７２】
ステップ１４３で通信装置１から送信モード通知を受信する。この処理では、送信モード通知にフォルダ情報受信可能通知が含まれている。
ステップ１４４で蓄積先フォルダ決定処理をする。
この蓄積先フォルダ決定処理では、例えば、通信装置２の図１に示したＮＶＲＡＭ部１９に、通信装置１のＦＡＸ番号、又は発信元名称に対応するフォルダが予め作成されており、通信装置１からファクシミリ受信したときにそのＦＡＸ番号、又は発信元名称に基いて画情報のフォルダを決定する。
【００７３】
ステップ１４５で送信モード通知中にフォルダ情報受信可能通知があるか否かを判断し、有る場合（Ｙの場合）にはステップ１４６へ進み、ない場合（Ｎの場合）にはステップ１４９へ進む。
ステップ１４６で送信者はフォルダ情報を通知しても良い相手か否かを判断する。
この判断では、予め通信装置１がフォルダ情報通知を送信しても良い相手か否かをＮＶＲＡＭ部１９に登録しておき、その登録内容を参照して判断する。
この判断で、送信者はフォルダ情報を通知しても良い相手と判断した場合（Ｙの場合）にはステップ１４７へ進み、送信者はフォルダ情報を通知しても良い相手ではないと判断した場合（Ｎの場合）にはステップ１５３へ進む。
【００７４】
ここでは、通信装置１はフォルダ情報を送信しても良い相手として登録されている場合を説明する。
ステップ１４７で通信装置１へフォルダ情報を含む受信機能力通知を送信する。このフォルダ情報には、通信装置１のＦＡＸ番号又は発信元名称に対応するＮＶＲＡＭ部１９のフォルダにアクセスするためのＵＲＬとフォルダ名が含まれている。
【００７５】
ステップ１４８で通信装置１から送信モード通知を受信し、ステップ１４９で通信装置１から画情報を受信して蓄積する。
ステップ１５０で通信装置１からページ終了通知を受信し、ステップ１５１で通信装置１へ正常受信通知を送信し、ステップ１５２で通信装置１から通信切断通知を受信すると、このファクシミリ受信の処理を終了する。
【００７６】
一方、ステップ１５３では、通信装置１へフォルダ情報を通知できない旨を含む受信機能力通知を送信し、ステップ１４８へ進む。ここでは、通信装置１以外の相手先に対応する処理になる。その後は上述したステップ１４８〜１５２の処理を実行し、このファクシミリ受信の処理を終了する。
このようにして、特定の送信者にだけフォルダ情報を送信するように限定できるので、通信装置２に蓄積された画情報のセキュリティレベルを高く保つことができる。
【００７７】
次に、この実施形態の通信装置２では、図１に示した制御部１０の制御処理を切り替えることにより、ファクシミリ受信した画情報を蓄積しない設定がされている場合には、通信装置１にフォルダ情報を送信せずにフォルダ情報の通知が出来ない旨を送信するように制御するようにすることもできる。
次に、通信装置２における画情報を蓄積しない旨の通知設定処理について説明する。
図１７は、図２に示した通信装置２における画情報を蓄積しない旨の通知設定処理を示すフローチャート図である。
【００７８】
通信装置２の図１に示した制御部１０は、操作表示部１５から画情報を蓄積しない旨の通知設定（蓄積拒否の設定に相当する）の入力を受け付けると、ステップ１６０で画情報を蓄積しない旨の通知設定をし、この処理を終了する。
この画情報を蓄積しない旨の通知設定により、制御部１０は、ファクシミリ受信の際に、送信元の通信装置１に画情報を蓄積しない旨の通知を送信すると共に、フォルダ情報の送信を行わないようにする制御動作をする。
【００７９】
次に、図１８によって、この通信システムの通信装置２の画情報を蓄積しない旨の通知の送信を行うファクシミリ受信処理について説明する。
図１８は、図２に示した通信装置２の画情報を蓄積しない旨の通知の送信を行うファクシミリ受信処理を示すフローチャート図である。
通信装置２の図１に示した制御部１０は、通信装置１からの発呼通知を受信すると、図１８の処理を開始する。
図１８のステップ１６１で通信装置１へ着呼通知を送信し、ステップ１６２で通信装置１へ受信機能力通知を送信する。
【００８０】
ステップ１６３で通信装置１から送信モード通知を受信する。この処理では、送信モード通知にフォルダ情報受信可能通知が含まれている。
ステップ１６４で送信モード通知中にフォルダ情報受信可能通知があるか否かを判断し、有る場合（Ｙの場合）にはステップ１６５へ進み、ない場合（Ｎの場合）にはステップ１６７へ進む。
ステップ１６５で通信装置１へ画情報を蓄積せずに印刷する旨を含む受信機能力通知を送信する。こうして、ユーザ４は画情報が蓄積されないことを知ることができる。
【００８１】
ステップ１６６で通信装置１から送信モード通知を受信し、ステップ１６７で通信装置１から画情報を受信して印刷する。
ステップ１６８で通信装置１からページ終了通知を受信し、ステップ１６９で通信装置１へ正常受信通知を送信し、ステップ１７０で通信装置１から通信切断通知を受信すると、このファクシミリ受信の処理を終了する。
このようにして、画情報が蓄積されない場合も通信装置１に通知が行われるので、ユーザ４は自分が送った画情報がどう処理されたかを確実に知ることができる。
【００８２】
以上で実施形態の説明を終了するが、この発明において、各部の具体的な構成、処理の内容、データの形式等は、実施形態で説明したものに限るものではない。
さらに、以上説明してきた実施形態の構成は、相互に矛盾しない限り任意に組み合わせて実施可能であることは勿論である。
【符号の説明】
【００８３】
１、２：通信装置    ３：通信回線    ４：ユーザ    ５：画情報    ６：受信機能力通知    ７：フォルダ内閲覧操作画面情報    １０：制御部    １１：ＲＡＭ部    １２：時計部    １３：スキャナ部    １４：プロッタ部    １５：操作表示部    １６：符号化復号化部    １７：網制御部    １８：インタネット通信制御部    １９：ＮＶＲＡＭ部    ２０：通信線
【先行技術文献】
【特許文献】
【００８４】
【特許文献１】特開２００５−２７８１６１号公報
【図１】
2013201625.tif 000003
【図２】
2013201625.tif 000004
【図３】
2013201625.tif 000005
【図４】
2013201625.tif 000006
【図５】
2013201625.tif 000007
【図６】
2013201625.tif 000008
【図７】
2013201625.tif 000009
【図８】
2013201625.tif 000010
【図９】
2013201625.tif 000011
【図１０】
2013201625.tif 000012
【図１１】
2013201625.tif 000013
【図１２】
2013201625.tif 000014
【図１３】
2013201625.tif 000015
【図１４】
2013201625.tif 000016
【図１５】
2013201625.tif 000017
【図１６】
2013201625.tif 000018
【図１７】
2013201625.tif 000019
【図１８】
2013201625.tif 000020